(57)【要約】【課題】  溶湯保持炉を確実に密閉する弁の提供【解決手段】  この低圧鋳造設備１０は、連通流路１７に設ける弁構造を、連通流路１７の開口端部に形成された弁受部２１と、弁受部２１に密着し得る下端形状を備えた弁棒２２と、弁棒２２の上端に下端が連結され、昇降駆動して弁棒２２を押し下げて弁棒２２の下端を弁受部２１に密着させる操作棒２３とで構成し、弁棒２２と操作棒２３の連結部３０は、弁棒２２の上端２２ａと操作棒２３の下端２３ａを対向させた状態で連結保持するカップリングケース２４を備え、かつ、弁棒２２の上端２２ａと操作棒２３の下端２３ａは、弁棒２２と操作棒２３を突合せたときに、操作棒２３に対して弁棒２２が屈曲するのを許容する形状とした。【選択図】  図３
2007021536.tif 000002
【特許請求の範囲】
【請求項１】
複数の溶湯保持炉を備えた低圧鋳造設備であって、前記溶湯保持炉を連通する溶湯の連通流路と、
前記連通流路の開口端部に形成された弁受部と、
前記弁受部に密着し得る下端形状を備えた弁棒と、
前記弁棒の上端に下端が連結され、昇降駆動して弁棒を押し下げて弁棒の下端を弁受部に密着させる操作棒とを備えた低圧鋳造設備において、
前記弁棒と操作棒の連結部は、前記弁棒の上端と操作棒の下端を対向させた状態で連結保持するカップリングケースを備え、かつ、前記弁棒の上端と操作棒の下端は、弁棒と操作棒を突合せたときに、操作棒に対して弁棒が屈曲するのを許容する形状としたことを特徴とする低圧鋳造設備。
【発明の詳細な説明】
【技術分野】
【０００１】
本発明は低圧鋳造設備に関するものである。
【背景技術】
【０００２】
低圧鋳造設備１０は、図１に示すように、複数の溶湯保持炉１１，１２を備えたものがある。図示例の低圧鋳造設備１０は溶湯保持炉を２つ備えたものであるが、そのうち第１溶湯保持炉１１（注湯炉）には金型１３の溶湯注入口１４に連結したストーク１５の一端が挿入されており、第２溶湯保持炉１２（補充炉）は、斯かる第１溶湯保持炉１１に溶湯を供給するものである。第１溶湯保持炉１１と第２溶湯保持炉１２は、開閉を操作する弁１６を備えた連通流路１７で連通されている。
【０００３】
斯かる低圧鋳造設備１０において、溶湯を金型１３のキャビティ内に注湯する際には、連通流路１７の弁１６を閉じ、第１溶湯保持炉１１を気密に保持し、第１溶湯保持炉１１内の気圧を高めることで、湯面に圧をかけ、ストーク１５を通して金型１３のキャビティ内に溶湯を注入している。斯かる低圧鋳造設備１０は、例えば、特開２００３−２９０９０４号公報に開示されている。
【特許文献１】特開２００３−２９０９０４
【発明の開示】
【発明が解決しようとする課題】
【０００４】
連通流路１７に設けられる弁１６には、例えば、図１に示すように、連通流路１７の開口端部に弁受部２１を形成し、この弁受部２１に密着し得る下端形状を備えた弁棒２２を、弁受部２１に密着させる構造を備えたものが知られている。この場合、図２に示すように、弁棒２２の上端２２ａと操作棒２３の下端２３ａをそれぞれ平坦面とし、面当たりさせてカップリングケース２４で連結保持し、操作棒２３をアクチュエータ２５（例えば、油圧シリンダ又はエアシリンダのピストンロッド）に連結し、弁棒２２を昇降操作するとよい。なお、図２に示すように、弁棒２２と操作棒２３との間には、緩衝材２６を挟むと良い。
【０００５】
しかしながら、斯かる構造では、弁棒２２の下端２２ｂを弁受部２１に密着させるときに、弁棒２２が何らかの要因で傾き、弁棒２２の下端２２ｂが弁受部２１に対して傾いた状態のまま嵌り込む場合があり、弁棒２２の下端２２ｂが弁受部２１の一部において密着が不十分な状態が生じ得る。弁受部２１の一部に弁棒２２の下端２２ｂが密着不十分な部位があると、第１溶湯保持炉１１の密閉が不十分になり、第１溶湯保持炉１１内の気圧を高めても溶湯が第２溶湯保持炉１２に流出し、金型１３への注湯が十分にできない場合が生じる。
【課題を解決するための手段】
【０００６】
本発明に係る低圧鋳造設備は、斯かる連通流路に設ける弁構造を、連通流路の開口端部に形成された弁受部と、弁受部に密着し得る下端形状を備えた弁棒と、弁棒の上端に下端が連結され、昇降駆動して弁棒を押し下げて弁棒の下端を弁受部に密着させる操作棒とを備えた低圧鋳造設備において、弁棒と操作棒の連結部は、弁棒の上端と操作棒の下端を対向させた状態で連結保持するカップリングケースを備え、かつ、弁棒の上端と操作棒の下端は、弁棒と操作棒を突合せたときに、操作棒に対して弁棒が屈曲するのを許容する形状としたことを特徴とした。
【発明の効果】
【０００７】
本発明に係る低圧鋳造設備によれば、弁棒と操作棒の連結部に弁棒の上端と操作棒の下端を対向させた状態で連結保持するカップリングケースを備え、かつ、弁棒の上端と操作棒の下端は、弁棒と操作棒を突合せたときに、操作棒に対して弁棒が屈曲するのを許容する形状としたので、弁棒の下端を弁受部に密着させるときに、弁棒が何らかの要因で弁受部に対して傾いても、操作棒で弁棒を押し下げて弁棒の下端を弁受部に密着させるときに、操作棒に対して弁棒が屈曲し、弁棒の下端が弁受部に嵌り込む際に、弁棒の傾きが修正される。これにより、弁棒の下端を弁受部の全周にわたって確実に密着させることができ、溶湯保持炉を確実に密閉することができる。
【発明を実施するための最良の形態】
【０００８】
以下、本発明の一実施形態に係る低圧鋳造設備を図面に基づいて説明する。なお、同一の作用を奏する部材・部位には同じ符号を付して説明する。
【０００９】
この低圧鋳造設備１０は、低圧鋳造設備の全体構成として、図１に示すものと同じ構成であり、２つの溶湯保持炉１１、１２を連通する連通流路１７に設けられる弁１６は、弁受部２１と、弁棒２２と、操作棒２３と、弁棒２２と操作棒２３を連結する連結部３０で構成されている。
【００１０】
弁受部２１は、連通流路１７の第２溶湯保持炉１２側の開口端部に形成されている。この実施形態では、弁受部２１は、すり鉢形状に窪んだ形状を備えており、連通流路１７はすり鉢形状の最深部に開口している。
【００１１】
弁棒２２は、弁受部２１に密着し得る下端形状を備えている。この実施形態では、弁棒２２は、略円筒状の棒材で、下端２２ｂは弁受部２１のすり鉢状に窪んだ形状に密着し得るように、滑らかな凸曲面で形成しており、斯かる凸曲面の中心部には連通流路１７の開口に入り込む突起２２ｃを備えている。
【００１２】
操作棒２３は昇降駆動するものであり、この実施形態では、アクチュエータ２５に取り付けられて昇降駆動する。操作棒２３は弁棒２２に連結されており、操作棒２３を昇降操作することにより、弁受部２１に対して弁棒２２を昇降させることができるようになっている。
【００１３】
操作棒２３と弁棒２２の連結部３０は、図３に示すように、弁棒２２の上端２２ａと操作棒２３の下端２３ａを対向させた状態で連結保持するカップリングケース２４を備えている。この実施形態では、カップリングケース２４は、縦に半割状態で分割でき、左右のケースを合わせると、カップリングケース２４の上面に操作棒２３が貫通する穴２４ａが形成され、カップリングケース２４の下面には弁棒２２が貫通する穴２４ｂが形成されている。カップリングケース２４の内部は、弁棒２２の上端２２ａと操作棒２３の下端２３ａを組み入れた状態で、少し余裕のある容量を有している。
【００１４】
弁棒２２の上端２２ａはカップリングケース２４の下面の穴２４ｂに挿通する部分が穴２４ｂに対して細くなっており、そこから先端側を傘状の幅広の形状に形成している。操作棒２３の下端２３ａも同様にカップリングケース２４の上面の穴２４ａに挿通する部分が穴２４ａに対して細くなっており、そこから先端側が傘状の幅広の形状で形成している。なお、カップリングケース２４の下面に形成された弁棒２２が貫通する穴２４ｂの内径は、弁棒２２の上端２２ａが抜けることがない程度に小さいが、弁棒２２の挿通軸部２２ｄの外周面に対して少し隙間が形成される程度の大きさで形成している。また、この実施形態では、カップリングケース２４に弁棒２２の上端２２ａと操作棒２３の下端２３ａを組み込む際に、弁棒２２の上端２２ａと操作棒２３の下端２３ａとの間に緩衝材２６を挟んでいる。
【００１５】
カップリングケース２４内で対向する弁棒２２の上端２２ａと操作棒２３の下端２３ａは、弁棒２２と操作棒２３を突合せたときに、弁棒２２が操作棒２３に対して屈曲するのを許容する形状で形成している。この実施形態では、図３に示すように、操作棒２３の下端２３ａは、平坦面であり、弁棒２２の上端２２ａは先端を丸めた先細り形状にしている。これにより、弁棒２２と操作棒２３を突合せたときに、弁棒２２の上端２２ａと操作棒２３の下端２３ａが面当たりせず、弁棒２２は操作棒２３に対して屈曲するのが許容される。そして、カップリングケース２４の内部、および、カップリングケース２４の下面の弁棒２２の挿通軸部２２ｄが貫通した穴２４ｂにクリアランスがあるため、そのクリアランスが許容する程度において、弁棒２２が操作棒２３に対して屈曲する。
【００１６】
この低圧鋳造設備１０は、斯かる連結部３０の構造により、操作棒２３で弁棒２２を押し下げて弁棒２２の下端を弁受部２１に密着させるときに、操作棒２３に対して弁棒２２が屈曲可能なように、弁棒２２の上端２２ａと操作棒２３の下端２３ａを連結している。このため、弁棒２２の下端２２ｂを弁受部２１に密着させるときに、弁棒２２が何らかの要因で弁受部２１に対して傾いても、弁棒２２の下端２２ｂが弁受部２１に嵌り込む際に、弁棒２２の傾きが修正される。これにより、弁棒２２の下端２２ｂを弁受部２１の全周にわたって確実に密着させることができ、溶湯保持炉１１を確実に密閉することができる。
【００１７】
以上、本発明の一実施形態に係る低圧鋳造設備を説明したが、本発明に係る低圧鋳造設備は上記の実施形態に限定されるものではない。
【００１８】
例えば、低圧鋳造設備として、溶湯保持炉を２つ備えたものを例示したが、溶湯保持炉の数は、２つに限定されない。
【００１９】
また、弁棒２２と操作棒２３を突合せたときに、弁棒２２が操作棒２３に対して屈曲するのを許容する弁棒２２の上端２２ａと操作棒２３の下端２３ａの形状として、操作棒２３の下端２３ａを平坦面とし、弁棒２２の上端２２ａを、先端を丸めた先細り形状にしたものを例示したが、これに限定されない。反対に、弁棒２２の上端２２ａを平坦面とし、操作棒２３の下端２３ａを、先端を丸めた先細り形状としてもよい。また、例えば、図４に示すように、弁棒２２の上端２２ａと操作棒２３の下端２３ａのうち、一方を凹曲面、他方を凸曲面とし、弁棒２２と操作棒２３を突合せたときに、弁棒２２が操作棒２３に対して屈曲するのが許容されるようにしてもよい。
【００２０】
また、この実施形態では、弁１６を連通流路１７の第２溶湯保持炉１２側の開口端部に設けているが、第１溶湯保持炉１１側の開口端部に構成してもよい。また、弁棒２２の上端２２ａと操作棒２３の下端２３ａとの間に緩衝材２６を挟んだものを例示したが、本発明は緩衝材２６がある形態に限定されない。また、カップリングケース２４の構造も上記のものに限定されない。
【図面の簡単な説明】
【００２１】
【図１】低圧鋳造設備を示す図。
【図２】低圧鋳造設備の連通流路の弁の構成例を示す図。
【図３】本発明の一実施形態に係る低圧鋳造設備の連通流路の弁の構成を示す図。
【図４】本発明の他の実施形態に係る低圧鋳造設備の連通流路の弁の連結部を示す図。
【符号の説明】
【００２２】
１０   低圧鋳造設備
１１   第１溶湯保持炉（注湯炉）
１２   第２溶湯保持炉（補充炉）
１３   金型
１４   溶湯注入口
１５   ストーク
１６   弁
１７   連通流路
２１   弁受部
２２   弁棒
２２ａ 弁棒の上端
２２ｂ 弁棒の下端
２２ｄ 挿通軸部
２３   操作棒
２３ａ 操作棒の下端
２４   カップリングケース
２５   アクチュエータ
３０   連結部
【図１】
2007021536.tif 000003
【図２】
2007021536.tif 000004
【図３】
2007021536.tif 000005
【図４】
2007021536.tif 000006